(57)【要約】      （修正有）【課題】外部モジュールを装設及び交換可能な携帯電子装置を提供する。【解決手段】外部モジュールを装設及び交換可能な携帯電子装置１０は、少なくとも２つの拡張スロット１１を備え、且つ何れか１つの拡張スロットは複数の側面を有する収容空間及び第一電気的な接続手段１１１１、１１２１、１１３１を含む。外付け式モジュール１２はこれら前記拡張スロット中の少なくとも１つの収容空間内に納置され、且つ前記収容空間のこれら前記側面に隣接される。また、これら前記拡張スロット中の少なくとも１つの前記第一電気的な接続手段は、外付け式モジュールの第二電気的な接続手段１２１１、１２２１、１２３１に相互に電気的に接続される。これにより、外付け式モジュールはこれら前記拡張スロットにより携帯電子装置に交換可能に装設される。【選択図】図１
0003210059.tif 000002
【実用新案登録請求の範囲】
【請求項１】
少なくとも２つの拡張スロットを備え、且つ何れか１つの拡張スロットは、
複数の側面を有すると共に外付け式モジュールの収容に用いられる収容空間と、
前記収容空間中の何れか１つの側面に設置される第一電気的な接続手段とを更に含み、
ここでは、前記携帯電子装置は前記少なくとも２つの拡張スロットを提供し、前記外付け式モジュールが前記少なくとも２つの拡張スロット中の少なくとも１つの収容空間内に納置され、且つ前記収容空間のこれら前記側面に隣接され、且つ前記少なくとも２つの拡張スロットにおける少なくとも１つの前記第一電気的な接続手段は前記外付け式モジュールにおける少なくとも１つの第二電気的な接続手段に相互に電気的に接続されることを特徴とする外付け式モジュールを装設及び交換可能な携帯電子装置。
【請求項２】
前記外付け式モジュールは、前記少なくとも２つの拡張スロットにおける前記少なくとも２つの収容空間内に納置される単一の第二電気的な接続手段を備える単一の外付け式モジュールであることを特徴とする、請求項１に記載の外付け式モジュールを装設及び交換可能な携帯電子装置。
【請求項３】
前記単一の外付け式モジュールは少なくとも２つの凸部を有し、且つ前記少なくとも２つの収容空間内にそれぞれ納置され、また、前記単一の第二電気的な接続手段は前記少なくとも２つの凸部の内の何れか１つに設置されることを特徴とする、請求項２に記載の外付け式モジュールを装設及び交換可能な携帯電子装置。
【請求項４】
前記外付け式モジュールは、電力の需要に応じて前記少なくとも２つの第二電気的な接続手段が前記少なくとも２つの拡張スロットのこれら前記第一電気的な接続手段にそれぞれ電気的に接続される少なくとも２つの第二電気的な接続手段を備える単一の外付け式モジュールであることを特徴とする、請求項１に記載の外付け式モジュールを装設及び交換可能な携帯電子装置。
【請求項５】
前記単一の外付け式モジュールは少なくとも２つの凸部を有し、且つ前記少なくとも２つの収容空間内にそれぞれ納置され、また、前記少なくとも２つの第二電気的な接続手段は前記少なくとも２つの凸部にそれぞれ対応するように設置されることを特徴とする、請求項４に記載の外付け式モジュールを装設及び交換可能な携帯電子装置。
【請求項６】
前記外付け式モジュールは、単一の凸部を有し、且つ前記少なくとも２つの収容空間の内の何れか１つに納置される単一の第二電気的な接続手段を備える単一の外付け式モジュールであり、前記単一の第二電気的な接続手段は前記単一の凸部に設置されることを特徴とする、請求項１に記載の外付け式モジュールを装設及び交換可能な携帯電子装置。
【請求項７】
前記第一電気的な接続手段及び前記第二電気的な接続手段は共に電気接続構造であり、前記電気接続構造は接触式電気コネクタまたは挿着式電気コネクタであることを特徴とする、請求項１に記載の外付け式モジュールを装設及び交換可能な携帯電子装置。
【請求項８】
前記接触式電気コネクタは接点及びプローブの電気接続部材であり、または、前記挿着式電気コネクタはメス端子形状／オス端子形状の電気コネクタであることを特徴とする、請求項７に記載の外付け式モジュールを装設及び交換可能な携帯電子装置。
【請求項９】
前記メス端子形状／オス端子形状の電気コネクタはユニバーサル・シリアル・バス(Universal  Serial  Bus,  USB)コネクタ及びマイクロユニバーサル・シリアル・バス(Micro  Universal  Serial  Bus,  Micro  USB)コネクタの内の何れか１つであることを特徴とする、請求項８に記載の外付け式モジュールを装設及び交換可能な携帯電子装置。
【請求項１０】
前記携帯電子装置のマイクロプロセッサに電気的に接続されるパワーユニットを更に備え、前記第一電気的な接続手段及び前記第二電気的な接続手段が電気的に接続されることにより、前記パワーユニットにより前記外付け式モジュールに対して電力が供給されることを特徴とする、請求項１に記載の外付け式モジュールを装設及び交換可能な携帯電子装置。
【請求項１１】
前記第一電気的な接続手段は、前記外付け式モジュールに電気的に接続されることにより検出信号を発生させる検出端子を更に備え、且つ前記マイクロプロセッサは前記検出信号に応じて前記パワーユニットにより前記外付け式モジュールに対応させる前記電力を主導的に供給させることを特徴とする、請求項１０に記載の外付け式モジュールを装設及び交換可能な携帯電子装置。
【請求項１２】
前記外付け式モジュールは支払いモジュール、スキャンモジュール、識別モジュール、ワイヤレス伝送モジュール、通信モジュール、及びプリントモジュールの内の何れか１つ或いは／及びその組み合わせであることを特徴とする、請求項１に記載の外付け式モジュールを装設及び交換可能な携帯電子装置。
【請求項１３】
前記携帯電子装置はモバイル装置、タブレット端末、販売時点情報管理システム(point-of-sale、POS)のホストコンピューターの内の何れか１つであることを特徴とする、請求項１に記載の外付け式モジュールを装設及び交換可能な携帯電子装置。
【請求項１４】
前記外付け式モジュールに相互に装設されない拡張スロットの前記収容空間の上方に被覆させるように結合される少なくとも１つの可動カバーを更に備えることを特徴とする、請求項１に記載の外付け式モジュールを装設及び交換可能な携帯電子装置。
【請求項１５】
順に近接して配列される少なくとも２つの拡張スロットを備え、且つこれら前記拡張スロットの内の何れか１つの拡張スロットは、
収容空間と、
前記収容空間中に設置される第一電気的な接続手段とを更に含み、
ここでは、前記少なくとも２つの拡張スロットには、第一外付け式モジュールまたは第二外付け式モジュールが交換可能に装設され、
また、少なくとも１つの第二電気的な接続手段を有する前記第一外付け式モジュールは、前記少なくとも２つの拡張スロットの内の何れか１つの前記収容空間内に納置され、前記少なくとも２つの拡張スロットの内の何れか１つの前記第一電気的な接続手段に電気的に接続され、
或いは、前記少なくとも１つの第二電気的な接続手段を有する前記第二外付け式モジュールは、前記少なくとも２つの拡張スロットの前記少なくとも２つの収容空間内に納置され、前記少なくとも２つの拡張スロットの内の少なくとも１つの前記第一電気的な接続手段に電気的に接続されることを特徴とする外付け式モジュールを装設及び交換可能な携帯電子装置。
【考案の詳細な説明】
【技術分野】
【０００１】
本考案は、携帯電子装置に関し、より詳しくは、外付け式モジュールを装設及び交換可能な携帯電子装置（a  mobile  electronic  device  applied  to  assemble  and  replace  an  external  module）に関する。
【背景技術】
【０００２】
現在商業販売されている携帯電子装置の応用範囲は広がり続けている。例えば、販売時点情報管理システム(point-of-sale、POS)のホストコンピューターは体積が非常に小さく軽いため、携帯しやすい上、使いやすくなっている。
【考案の概要】
【考案が解決しようとする課題】
【０００３】
しかしながら、前述した従来の携帯電子装置では、すなわち、従来の携帯電子装置には実際の応用における幾つかの問題点が存在する。例えば、携帯電子装置に配備されているモジュールは全て工場出荷時に予め固定されており、自分で交換して装設させることはできない。このため、使用者が他の機能を追加して使用したい場合、その機能が配備されたモジュールが追加された新型機を改めて購入せねばならず、これでは電子製品をむやみに浪費する結果となった。
【０００４】
且つ、携帯電子装置において部分的に固定された配備モジュールが損壊した場合、使用者は電子装置そのものを交換するか、修理に出さねばならず、損壊した配備モジュールのみを自由に交換して装設することはできず、特に店舗で使用する場合は不便で困難であった。例えば、最初にレストラン等の店舗が購入した携帯電子装置がモバイル注文装置であり、プリントモジュールが固定配備されていたが、レストランの運用方法を見直し、注文時に料金の支払いに使用したくなった場合、店舗側は古いモバイル注文装置を廃棄して、支払い機能を有するモジュールが配備されたモバイル注文装置を新たに購入せねばならなかった。これでは店舗側のコストが増加し、且つ不要な浪費に繋がり、同時に店舗側の実際の運用において求められる多元性や多機能性の要求を満たすことができなかった。
【０００５】
そこで、本考案者は上記の欠点が改善可能と考え、鋭意検討を重ねた結果、合理的設計で上記の課題を効果的に改善する本考案の提案に到った。
【０００６】
考案は、このような従来の問題に鑑みてなされたものである。上記課題解決のため、本考案は、外部モジュールを装設及び交換可能な携帯電子装置を提供することを目的とする。
【課題を解決するための手段】
【０００７】
上述した課題を解決し、目的を達成するために、第１実施形態において、本考案に係る外部モジュールを装設及び交換可能な携帯電子装置は、少なくとも２つの拡張スロットを備え、且つ何れか１つの拡張スロットは、複数の側面を有すると共に外付け式モジュールの収容に用いられる収容空間、及び前記収容空間中の何れか１つの側面に設置される第一電気的な接続手段を更に備える。前記携帯電子装置は前記少なくとも２つの拡張スロットを提供し、前記外付け式モジュールは前記少なくとも２つの拡張スロット中の少なくとも１つの収容空間内に納置され、且つ前記収容空間のこれら前記側面に隣接され、且つ前記少なくとも２つの拡張スロットにおける少なくとも１つの前記第一電気的な接続手段は前記外付け式モジュールの少なくとも１つの第二電気的な接続手段に相互に電気的に接続される。
【０００８】
好ましくは、前記外付け式モジュールは、前記少なくとも２つの拡張スロットにおける前記少なくとも２つの収容空間内に納置される単一の第二電気的な接続手段を備える単一の外付け式モジュールである。
【０００９】
好ましくは、前記単一の外付け式モジュールは少なくとも２つの凸部を有し、且つ前記少なくとも２つの収容空間内にそれぞれ納置される。また、前記単一の第二電気的な接続手段は前記少なくとも２つの凸部の内の何れか１つに設置される。
【００１０】
好ましくは、前記外付け式モジュールは、電力の需要に応じて前記少なくとも２つの第二電気的な接続手段が前記少なくとも２つの拡張スロットのこれら前記第一電気的な接続手段にそれぞれ電気的に接続される少なくとも２つの第二電気的な接続手段を備える単一の外付け式モジュールである。
【００１１】
好ましくは、前記単一の外付け式モジュールは少なくとも２つの凸部を有し、且つ前記少なくとも２つの収容空間内にそれぞれ納置される。また、前記少なくとも２つの第二電気的な接続手段は前記少なくとも２つの凸部にそれぞれ対応するように設置される。
【００１２】
好ましくは、前記外付け式モジュールは、単一の凸部を有し、且つ前記少なくとも２つの収容空間の内の何れか１つに納置される単一の第二電気的な接続手段を備える単一の外付け式モジュールである。前記単一の第二電気的な接続手段は前記単一の凸部に設置される。
【００１３】
好ましくは、前記第一電気的な接続手段及び前記第二電気的な接続手段は共に電気接続構造であり、前記電気接続構造は接触式電気コネクタまたは挿着式電気コネクタである。
【００１４】
好ましくは、前記接触式電気コネクタは接点及びプローブの電気接続部材であり、または、前記挿着式電気コネクタはメス端子形状／オス端子形状の電気コネクタである。
【００１５】
好ましくは、前記メス端子形状／オス端子形状の電気コネクタはユニバーサル・シリアル・バス(Universal  Serial  Bus、  USB)コネクタ及びマイクロユニバーサル・シリアル・バス(Micro  Universal  Serial  Bus、  Micro  USB)コネクタの内の何れか１つである。
【００１６】
好ましくは、前記携帯電子装置のマイクロプロセッサに電気的に接続されるパワーユニットを更に備え、前記第一電気的な接続手段及び前記第二電気的な接続手段が電気的に接続されることにより、前記パワーユニットにより前記外付け式モジュールに対して電力が供給される。
【００１７】
好ましくは、前記第一電気的な接続手段は、前記外付け式モジュールに電気的に接続されることにより検出信号を発生させる検出端子を更に備え、且つ前記マイクロプロセッサは前記検出信号に応じて前記パワーユニットにより前記外付け式モジュールに対応させる前記電力を主導的に供給させる。
【００１８】
好ましくは、前記外付け式モジュールは支払いモジュール、スキャンモジュール、識別モジュール、ワイヤレス伝送モジュール、通信モジュール、及びプリントモジュールの内の何れか１つ或いは／及びその組み合わせである。
【００１９】
好ましくは、前記携帯電子装置はモバイル装置、タブレット端末、販売時点情報管理システム(point-of-sale、POS)のホストコンピューターの内の何れか１つである。
【００２０】
好ましくは、前記外付け式モジュールに相互に装設されない拡張スロットの前記収容空間の上方に被覆させるように結合される少なくとも１つの可動カバーを更に備える。
【００２１】
第２実施形態において、本考案に係る外部モジュールを装設及び交換可能な携帯電子装置は、順に近接して配列される少なくとも２つの拡張スロットを備え、且つこれら前記拡張スロットの内の何れか１つの拡張スロットは、収容空間、及び前記収容空間中に設置される第一電気的な接続手段を更に備える。前記少なくとも２つの拡張スロットには、第一外付け式モジュールまたは第二外付け式モジュールが交換可能に装設される。少なくとも１つの第二電気的な接続手段を有する前記第一外付け式モジュールは、前記少なくとも２つの拡張スロットの内の何れか１つの前記収容空間内に納置され、前記少なくとも２つの拡張スロットの内の何れか１つの前記第一電気的な接続手段に電気的に接続される。或いは、前記少なくとも１つの第二電気的な接続手段を有する前記第二外付け式モジュールは、前記少なくとも２つの拡張スロットの前記少なくとも２つの収容空間内に納置され、前記少なくとも２つの拡張スロットの内の少なくとも１つの前記第一電気的な接続手段に電気的に接続される。
【考案の効果】
【００２２】
本考案は、外付け式モジュールの凸部及び拡張スロットの収容空間が対応し合う構造に設計されることにより、両者が相互に吻合され、電気的に接続されると共に多機能なモジュールが交換可能に装設できる。
【図面の簡単な説明】
【００２３】
【図１】本考案の好ましい実施形態を概略に示すブロック図である。
【図２Ａ】図１に示す好ましい実施形態において、第１実施形態の具体的な構成を示す傾斜図である。
【図２Ｂ】図２Ａに示す第１実施形態の具体的な構成を示す展開図である。
【図２Ｃ】図２Ｂに示す拡張スロットを一部に示す拡大図である。
【図３】図１に示す好ましい実施形態において、第２実施形態の具体的な構成を一部に示す正面図である。
【図４】図１に示す好ましい実施形態において、第３実施形態の具体的な構成を一部に示す正面図である。
【考案を実施するための形態】
【００２４】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
[実施形態]
【００２５】
図１は本考案の好ましい実施形態を概略に示すブロック図である。図１に示すように、本考案の携帯電子装置１０は、マイクロプロセッサ１０１と、パワーユニット１０２と、複数の拡張スロット１１と、これら前記拡張スロット１１に接続される外付け式モジュール１２とを備える。本実施形態では３つの拡張スロット１１１、１１２、１１３が応用され、且つ何れか１つの拡張スロット１１１-１１３は第一電気的な接続手段（オス端子形状電気コネクタ）
１１１１、１１２１または１１３１及び検出端子１１１４、１１１５、１１１６を更に備える。
【００２６】
また、検出端子１１１４-１１１６は第一電気的な接続手段（オス端子形状電気コネクタ）１１１１-１１３１に設置され、第一電気的な接続手段（オス端子形状電気コネクタ）１１１１-１１３１は外付け式モジュール１２への接続に用いられ、検出端子１１１４-１１１６は外付け式モジュール１２により受信された外部信号Ａ１１、Ａ１２、Ａ１３の検出に用いられる。本実施形態において、外付け式モジュール１２に接続される携帯電子装置１０は販売時点情報管理システム(point-of-sale、POS)のホストコンピューターであるが、当然ながらモバイル装置やタブレット端末でもよく、これによって本実施形態が制限されるわけではない。
【００２７】
また、外付け式モジュール１２が少なくとも備える第一外付け式モジュール１２１、第二外付け式モジュール１２２及び第三外付け式モジュール１２３は、例えば、それぞれ支払いモジュール１２１、スキャンモジュール１２２及び識別モジュール１２３である。何れか１つの外付け式モジュール１２１-１２３は第二電気的な接続手段（メス端子形状電気コネクタ）１２１１、１２２１、１２３１を更に備え、対応する第一電気的な接続手段（オス端子形状電気コネクタ）１１１１、１１２１または１１３１に相互に電気的に接続される。当然ながら、実際の運用においては、外付け式モジュール１２は、ワイヤレス伝送モジュールと、通信モジュールと、プリントモジュールとを更に含むが、これによって本実施形態が制限されることはなく、実際の製品の需要に応じて調整可能である。
【００２８】
以下、上述の各部材の接続及び作動関係について説明する。
【００２９】
外付け式モジュール１２の内の何れか１つ、例えば、上述の支払いモジュール１２１、スキャンモジュール１２２及び識別モジュール１２３が第二電気的な接続手段（メス端子形状電気コネクタ）１２１１-１２３１によって何れか１つの拡張スロット１１１-１１３の第一電気的な接続手段（オス端子形状電気コネクタ）１１１１-１１３１に電気的に接続されると、第一電気的な接続手段（オス端子形状電気コネクタ）
１１１１-１１３１の検出端子１１１４-１１１６は少なくとも１つの外部信号Ａ１１-Ａ１３に応じて、対応する少なくとも１つの検出信号Ｂを発生させてマイクロプロセッサ１０１にフィードバックさせる。
【００３０】
その後、マイクロプロセッサ１０１は検出信号Ｂを受信させると共に外付け式モジュール１２に応じて、対応する駆動信号Ｄ１、Ｄ２を発生させ、前記駆動信号Ｄ１は拡張スロット１１１-１１３を経由して対応する駆動信号Ｄ１１-Ｄ１３が対応する外付け式モジュール１２１-１２３に出力され、マイクロプロセッサ１０１は駆動信号Ｄ２に基づいてパワーユニット１０２が出力させる電力Ｃを制御させ、前記電力Ｃは拡張スロット１１１-１１３を通して対応する電力Ｃ１１-Ｃ１３が対応する外付け式モジュール１２１-１２３に出力される。
【００３１】
駆動信号Ｄ１１-Ｄ１３は外付け式モジュール１２１-１２３を駆動させるために使用され、駆動信号Ｄ２がパワーユニット１０２を駆動させることにより対応する外付け式モジュール１２１-１２３に電力Ｃ１１-Ｃ１３が供給される。すなわち、マイクロプロセッサ１０１は外付け式モジュール１２のシステムの需要に応じて、必要な駆動インターフェース及び電力を主導的に提供する。
【００３２】
次は、図２Ａは図１に示す好ましい実施形態において、第１実施形態の具体的な構成を示す傾斜図であり、図２Ｂは図２Ａに示す第１実施形態の具体的な構成を示す展開図であり、図２Ｃは図２Ｂに示す拡張スロットを一部に示す拡大図である。
【００３３】
図２Ａ乃至図２Ｃを示すように、第１実施形態の具体的な構成において、本案に係る携帯電子装置１０は同様に、マイクロプロセッサ１０１と、パワーユニット１０２と、複数の拡張スロット１１と、これら前記拡張スロット１１に接続される外付け式モジュール１２とを備える。図２Ａ乃至図２Ｃによると、本実施形態では３つの拡張スロット１１１-１１３が応用され、且つ何れか１つの拡張スロット１１１-１１３は収容空間１１１２、１１２２、１１３２を更に含む。
【００３４】
より詳しくは、収容空間１１１２-１１３２は複数の側面１１１ａ-１１１ｄ、１１２ａ-１１２ｄ、１１３ａ-１１３ｄをそれぞれ有し、且つ第一電気的な接続手段１１１１-１１３１（オス端子形状電気コネクタ）は何れか１つの面に設置され、外付け式モジュール１２に接続させるために用いられ、且つ検出端子１１１４-１１１６が外付け式モジュール１２により受信される外部信号Ａ１１-Ａ１３を検出させる。本実施形態において外付け式モジュール１２に接続される携帯電子装置１０は販売時点情報管理システム(point-of-sale、POS)のホストコンピューターであり、例えば、モバイル注文装置である。
【００３５】
当然ながら、モバイル装置またはタブレット端末でもよく、本実施形態は制限されない。また、本実施形態において応用される外付け式モジュール１２は支払いモジュール１２１及びスキャンモジュール１２２である。
【００３６】
次いで、スキャンモジュール１２２を例に説明する。外付け式モジュール１２が単一の第二電気的な接続手段（メス端子形状電気コネクタ）を備える単一の外付け式モジュールである場合、第一拡張スロット１１１はこれら前記側面１１１ａ-１１１ｄに対応するように形成される収容空間１１１２を含み、且つ第一電気的な接続手段（オス端子形状電気コネクタ）１１１１は側面１１１ｄに設置される。スキャンモジュール１２２は凸部１２２２を更に具備し、且つ凸部１２２２は複数の側面１２２２ａ-１２２２ｄを備え、第二電気的な接続手段１２２１（メス端子形状電気コネクタ）は凸部１２２２に設置されると共に側面１２２２ｄに隣接されるように延出される。
【００３７】
図２Ａ乃至図２Ｃによれば、スキャンモジュール１２２が第一拡張スロット１１１に接続される場合、スキャンモジュール１２２の凸部１２２２が第一拡張スロット１１１の収容空間１１１２中に納置され、且つ凸部１２２２のこれら前記側面１２２２ａ-１２２２ｄが収容空間１１１２のこれら前記側面１１１ａ-１１１ｄに対応するように吻合され、側面１１１ｄに位置される第一電気的な接続手段１１１１（オス端子形状電気コネクタ）がスキャンモジュール１２２の凸部１２２２の側面１２２２ｄに位置される第二電気的な接続手段（メス端子形状電気コネクタ）１２２１に電気的に接続される。
【００３８】
ちなみに、本案で採用される第一電気的な接続手段１１１１（オス端子形状電気コネクタ）及び第二電気的な接続手段（メス端子形状電気コネクタ）
１２２１はそれぞれ電気接続構造であり、例えば、接触式電気コネクタまたは挿着式電気コネクタである。接触式電気コネクタは接点及びプローブの電気接続部材である。或いは、挿着式電気コネクタはメス端子形状／オス端子形状の電気コネクタである。本実施形態において、第一電気的な接続手段１１１１（オス端子形状電気コネクタ）及び第二電気的な接続手段（メス端子形状電気コネクタ）１２２１はメス端子形状／オス端子形状の電気コネクタにおける一ユニバーサル・シリアル・バス(Universal  Serial  Bus、  USB)コネクタ、またはマイクロユニバーサル・シリアル・バス(Micro  Universal  Serial  Bus、  Micro  USB)である。
【００３９】
このほか、支払いモジュール１２１を例として他の実施態様を説明する。外付け式モジュール１２が単一の第二電気的な接続手段（メス端子形状電気コネクタ）を備える単一の外付け式モジュールであり、且つ２つの拡張スロット１１の２つの収容空間内に納置される。
【００４０】
より詳しくは、支払いモジュール１２１は２つの凸部１２１２、１２１３を備え、複数の側面１２１２ａ-１２１２ｄ、１２１３ａ-１２１３ｄをそれぞれ含み、単一の第二電気的な接続手段（メス端子形状電気コネクタ）１２１１は２つの凸部１２１２、１２１３の内の何れか１つに設置される。本実施形態において、単一の第二電気的な接続手段１２１１は第一凸部１２１２に設置されると共に側面１２１２ｄに隣接されるように延出される。
【００４１】
図２Ａ乃至図２Ｃによると、支払いモジュール１２１が第二拡張スロット１１２及び第三拡張スロット１１３に接続される場合、支払いモジュール１２１の２つの凸部１２１２、１２１３は２つの拡張スロット１１２、１１３の２つの収容空間１１２２、１１３２中に納置され、且つ２つの凸部１２１２、１２１３のこれら前記側面１２１２ａ-１２１２ｄ、１２１３ａ-１２１３ｄにより２つの収容空間１１２２、１１３２のこれら前記側面１１２ａ-１１２ｄ、１１３ａ-１１３ｄに対応するようにそれぞれ吻合され、側面１１３ｄに位置される第一電気的な接続手段１１３１（オス端子形状電気コネクタ）が第一凸部１２１２に位置される側面１２１２ｄの第二電気的な接続手段（メス端子形状電気コネクタ）１２１１に電気的に接続される。これにより、支払いモジュール１２１が２つの拡張スロット１１２、１１３中に吻合するように納置され、且つ携帯電子装置１０に電気的に接続される。
【００４２】
このほか、外付け式モジュールの電力の需要に応じて、複数の第二電気的な接続手段（メス端子形状電気コネクタ）が増設される。例えば、電力の需要に応じて、支払いモジュール１２１を２つの第二電気的な接続手段（メス端子形状電気コネクタ）を備える単一の外付け式モジュールとし(図示せず)、２つの第二電気的な接続手段（メス端子形状電気コネクタ）２つの凸部１２１２、１２１３にそれぞれ設置され、且つ側面１２１２ｄ、１２１３ｄに隣接されるように延出される。
【００４３】
すなわち、支払いモジュール１２１が２つの拡張スロット１１２、１１３に納置される場合、２つの凸部１２１２、１２１３が２つの収容空間１１２２、１１３２内に吻合するように納置され、且つ２つの側面１２１２ｄ、１２１３ｄに位置される２つの第二電気的な接続手段（メス端子形状電気コネクタ）により２つの側面１１２ｄ、１１３ｄに位置される２つの第一電気的な接続手段（オス端子形状電気コネクタ）１１２１、１１３１に相互に電気的に接続され(図示せず)、携帯電子装置１０により２つの拡張スロット１１２、１１３を介して支払いモジュール１２１に電力が供給される。
【００４４】
当然ながら、上述の各部材は本技術分野に習熟する者ならば同様の効果を有する様々な変更や設計が可能であり、且つ携帯電子装置が実際に運用される際の需要に応じて拡張スロットの数量を調整でき、本実施形態により制限させるわけではない。また、外付け式モジュールの凸部及び拡張スロットの収容空間が対応し合う構造設計となるが、実際の需要に応じて変更可能であり、両者の主要な機能は外付け式モジュールを吻合するように接続させると共に拡張スロットに電気的に接続させることである。このため、この機能を達成させる同様の効果を有する各種の構造は、全て本案の権利保護範囲に含まれる。
【００４５】
上述の実施構造以外、図３及び図４は、それぞれ図１に示す好ましい実施概念に基づいて実施される好ましい第２実施形態の構造及び第３実施形態の構造の具体的な構成における部分的な構造の正面図である。
【００４６】
図３を示すように、携帯電子装置１０は２つの可動カバー１３２、１３３を更に備え、スキャンモジュール１２２が第一拡張スロット１１１に納置される場合のみ、２つの可動カバー１３２、１３３によりそれぞれ被覆されると共に外付け式モジュール１２に相互に装設されていない拡張スロット１１２、１１３の上方に結合される。同様に、図４において、携帯電子装置１０が可動カバー１３１を含み、支払いモジュール１２１が２つの拡張スロット１１２、１１３に納置される場合のみ、可動カバー１３１により被覆されると共に拡張スロット１１１の上方に結合され、これにより携帯電子装置１０が形成される。
【００４７】
上述のように、本案は主に拡張スロットの収容空間及び外付け式モジュールの凸部が相互対応するように接続される設計に加え、凸部が収容空間内に吻合され、且つ両者の第一電気的な接続手段（オス端子形状電気コネクタ）及び第二電気的な接続手段（メス端子形状電気コネクタ）が相互に電気的に接続されることにより、実際の需要に応じて異なるサイズ(または体積)及び異なる機能を有する外付け式モジュールを柔軟に選択でき、交換して装設可能な携帯電子装置が形成される。これにより、本案は操作が簡単で交換が便利であるという長所を有する。
【００４８】
従って、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求に含まれるものと解釈すべきである。
【符号の説明】
【００４９】
１０  携帯電子装置
１０１  マイクロプロセッサ
１０２  パワーユニット
１１、１１１−１１３  拡張スロット
１１１ａ−１１１ｄ  第一拡張スロット側面
１１２ａ−１１２ｄ  第二拡張スロット側面
１１３ａ−１１３ｄ  第三拡張スロット側面
１１１１、１１２１、１１３１  第一電気的な接続手段（オス端子形状電気コネクタ）
１１１２、１１２２、１１３２  収容空間
１１１４、１１１５、１１１６  検出端子
１２、１２１、１２２、１２３  外付け式モジュール
１２１１、１２２１、１２３１  第二電気的な接続手段（メス端子形状電気コネクタ）
１２１２、１２１３  凸部
１２１２ａ−１２１２ｄ、１２１３ａ−１２１３ｄ  側面
１２２２  凸部
１２２１ａ−１２２１ｄ  側面
１３１−１３３  可動カバー
Ａ１１−Ａ１３  外部信号
Ｂ  検出信号
Ｃ、Ｃ１１−Ｃ１３  電力
Ｄ１、Ｄ１１−Ｄ１３、Ｄ２    駆動信号
【図１】
0003210059.tif 000003
【図２Ａ】
0003210059.tif 000004
【図２Ｂ】
0003210059.tif 000005
【図２Ｃ】
0003210059.tif 000006
【図３】
0003210059.tif 000007
【図４】
0003210059.tif 000008